(57)【特許請求の範囲】
【請求項１】
断面八角形の筒型胴部を有する段ボール容器において、容器底部が胴部の対向する所定の一対の側壁間の長さを一辺の長さとする正四角形に形成され、筒型胴部は対向する一対の側壁が前記底部と一体に形成されて底部の対向する一対の側縁から折り起こされ、それ以外の側壁が上記一対の側壁のいずれかに順次連設されて全体で八角形断面を構成するように連結されており、底部の他の対向する一対の側縁には、夫々左右両側縁に袖片を延設する一対のプロテクター片が底部と一体に形成されて起曲され、当該プロテクター片が上記側縁に沿って起立する側壁の、袖片が当該側壁に隣接する側壁の外面に夫々重ねられ固定されている八角形断面を有する段ボール容器。
【発明の詳細な説明】
【０００１】
【発明の属する技術分野】
本発明は、段ボール容器、特に流体、粉体等流動性のあるものを保管、輸送するために収容する八角形断面の段ボール容器に関する。
【０００２】
【従来の技術】
従来、この種容器は、図４に示すように胴部ａ’と底部ｂ’が別部材でできており、八角形断面のスリーブ状の胴部ａ’を同様に八角形断面のトレーｂ’に嵌め込む構造のもの、或いは図示してはいないが胴部を構成する八面の側壁夫々の下端に三角形の底面用フラップを延設し、このフラップを内方に折り曲げてそのままパレット上に載置起立せしめるようにした構造のものなどがある。
しかし乍ら、従来のこの種八角形断面の段ボール容器は、いずれも底面の面積が、胴部の断面積とほぼ同じであり、２００リットル程度の大容量の容器になると底面積に比べて高さが高くなるため安定が悪い。
また、底部が胴部とは別体であったり、フラップを折り曲げただけの構造であるため底抜けの恐れがある。
【０００３】
【発明が解決しようとする課題】
本発明は上述したような従来事情に鑑みてなされたもので、主として流体、粉体等流動性のあるものを保管、輸送するために収容する八角形断面の段ボール容器において、容器の安定性を向上させると共に底抜けを防止することを目的とするものである。
【０００４】
【課題を解決するための手段】
上記目的を達成するために、本発明の段ボール容器では、請求項１記載のように、断面八角形の筒型胴部を有する段ボール容器において、容器底部を胴部の対向する所定の一対の側壁間の長さを一辺の長さとする正四角形に形成し、筒型胴部を対向する一対の側壁が前記底部と一体に形成して底部の対向する一対の側縁から折り起こし、それ以外の側壁を上記一対の側壁のいずれかに順次連設して全体で八角形断面を構成するように連結し、底部の他の対向する一対の側縁には、夫々左右両側縁に袖片を延設する一対のプロテクター片を底部と一体に形成して起曲し、当該プロテクター片を上記側縁に沿って起立する側壁の、袖片を当該側壁に隣接する側壁の外面に夫々重ねて固定するものである。
【０００５】
【発明の作用・効果】
以上のように構成した、八角形断面の段ボール容器にあっては、底部がその一辺の長さを胴部の対向する一対の側壁間の長さに相当する長さとした正四角形に形成されているので、底部の面積が胴部の断面積よりも大きくなり、しかも底部は側壁八面の内、一面措き四面の下端部から夫々同じ大きさで三角形状に胴部外方へ突出するため、安定性が非常に向上する。
しかも、この種の段ボール容器の物流形態は、パレットを「田」字状に４等分して４個の容器を載置して輸送するのが一般的であるため、底面を四角形に形成して底面積を大きくしても、従来容器の八角形形状によりパレット上に空きスペースとして残っていたスペースが埋まるだけで、それ以上の余分なスペースを必要としないため、パレットに４個並べられなくなるような不都合も発生しない。
また胴部を構成する八面の側壁の内、対向する一対の側壁と底部とが一体に形成されているので、底部が胴部から離脱して底抜けするような事態の発生がない。
しかも上記一対の側壁に対して９０度方向にある他の一対の側壁には、底部側縁に一体に連設されて起立するプロテクター片が固定され、更にその左右に隣接する側壁にはプロテクター片の側縁に延設した袖片が固定されるため、底部と一体に形成されていない側壁も底部に固定されることになって、胴部と底部との結合が強固になり、底抜けの防止が一層確実になる。その上、上記側壁はプロテクター片により外面側が抑えられるため胴部の膨らみにより側壁下端が底部側縁より外方に食み出して両者間に隙間が出来るような不都合も発生しない。
【０００６】
【発明の実施の形態】
以下、本発明の実施の形態を、図面に基づいて説明する。
図１において全体を符号Ａで示される容器本体は、断面八角形の筒型の胴部ａと、胴部ａの対向する所定の一対の側壁a1,a2間の長さを一辺の長さとする正四角形の底部ｂを備えており、底部ｂの四隅部は夫々胴部ａ外方へ突出する三角形の突出部b1を構成している。
【０００７】
上記胴部ａは、その対向する一対の側壁a1,a2の下端縁が、底部ｂの対向する一対の側縁に連続して底部ｂと一体に形成されている。
底部ｂの他の対向する一対の側縁には、底部ｂと一体に形成されたプロテクター片31,32が起設されており、該プロテクター片31,32の左右両縁には夫々袖片41,42、43,44が延設されている。
そして、上記プロテクター片31,32は、底部ｂと繋がった一対の側壁a1,a2に対して９０度の方向にある他の一対の側壁面の外面に宛がわれて固定され、袖片41〜44が上記側壁面の左右に隣接する側壁a3,a7,a4,a8に重ねられ、当該側壁a3,a7,a4,a8に固定されている。
【０００８】
斯かる容器Ａは、一枚の段ボールブランクＡ’を折り曲げ組立てて構成されており、上記ブランクＡ’は展開状態において、中央に底部ｂが配置され、その対向する一対の側縁には第１の側壁a1と第２の側壁a2が、夫々当該側縁両端に等間隔を措いた中央部所定幅部分に各々第１の罫線c1、第２の罫線c2を介して底部ｂと一体に連設されている。
【０００９】
そして、上記第１の側壁a1の左右には、第３、第４の側壁a3,a4が各々第３、第４の罫線c3,c4を介して連設され、更に第３の側壁a3の側方には第５の側壁a5が、第４の側壁a4の側方には第６の側壁a6が夫々第５、第６の罫線c5,c6を介して連設されている。
また、第２の側壁a2の左右には、第７、第８の側壁a7,a8が各々第７、第８の罫線c7,c8を介して連設され、更に第７の側壁a7の側方には第９の側壁a9が、第８の側壁a8の側方には第10の側壁a10が夫々第９、第10の罫線c9,c10を介して連設されている。
上記第１、第２、第５、第６、第９、第10の側壁a1,a2,a5,a6,a9,a10は同じ幅に形成され、第３、第４、第７、第８の側壁a3,a4,a7,a8は同じ幅で、且つ上記六つの側壁a1,a2,a5,a6,a9,a10より狭い幅に形成されている。
【００１０】
一方、底部の他の対向する一対の側縁には第１、第２のプロテクター片31,32が各々第11、第12の罫線c11,c12を介して連設されている。
上記二つのプロテクター片31,32には、夫々基部両端から内向き斜めの切り込み31a,31b,32a,32bが長さ方向中途部まで等角度に入れられており、該切り込み31a,31b,32a,32bの先端からプロテクター片31,32の先端にかけて各々平行な２本の罫線c13,c14,c15,c16を設けて、この罫線c13,c14,c15,c16から外側に袖片41,42,43,44を形成している。
上記２本の罫線c13,c14及びc15,c16間の幅間隔は第５、第６、第９、第１０の側壁a5,a6,a9,a10の幅と同じになっている。
【００１１】
而して、斯かるブランクＡ’は、第１の側壁a1と第２の側壁a2が第１の罫線c1、第２の罫線c2に沿って底部に対して垂直に起曲され、更に第３〜第10の側壁a3〜a10が、第３〜第10の罫線c3〜c10に沿って順次所定角度に折り曲げられ、第５と第９の側壁a5,a9、第６と第10の側壁a6,a10が夫々重ね合わせられて接着、ステープル等適当な固定手段により相互に固定される。これにより容器Aの八角形筒型胴部aと、この胴部aと一体の正四角形の底部bが構成される。そして、胴部aは底部bと一体となった第１及び第２の側壁a1,a2に対して、90度の位置にある対向する一対の側壁面が第５、第９の側壁a5,a10及び第６、第10の側壁a6,a10により二重構造となる。
【００１２】
また、前記二つのプロテクター片31,32は、夫々第11、第12の罫線c11,c12に沿って、底部ｂに対して垂直に起曲され、各々胴部ａの第５、第９の側壁a5,a9及び第６、第10の側壁a6,a10により二重構造となった側壁面の外面に宛がわれ、該側壁面に接着、ステープル等の固定手段により固定され、更に、袖片41,42,43,44が罫線c13,c14,c15,c16に沿って内向きに折り曲げられ、第３、第４、第７、第８の側壁a3,a4,a7,a8の外面に添わせられ、当該側壁a3,a4,a7,a8に接着、ステープル等の固定手段により固定される。
これにより、第１及び第２の側壁a1,a2により構成された底部ｂと一体の二側壁面以外の六つの側壁面も底部ｂに連結固定されることになり、胴部ａと底部ｂとの一体化が達成される。
尚、前記胴部ａの第５、第９の側壁a5,a9のいずれか一方、及び第６、第10の側壁a6,a10のいずれか一方は、夫々他方に比べて幅を狭く形成して、単に継ぎ代としての機能のみを持たせるようにすることも可能である。
【図面の簡単な説明】
【図１】本発明の一実施形態を示す八角形断面の筒型胴部を有する段ボール容器の斜視図。
【図２】図１の（２）−（２）線断面図。
【図３】展開した状態の平面図。
【図４】従来の八角形断面の筒型胴部を有する段ボール容器の斜視図。
【符号の説明】
Ａ  ：容器
Ａ’：段ボールブランク
ａ  ：胴部
ｂ：底部
A1〜A10：側壁
31：プロテクター片
32：プロテクター片
41〜44：袖片
【図１】
0004252675.tif 000002
【図２】
0004252675.tif 000003
【図３】
0004252675.tif 000004
【図４】
0004252675.tif 000005